(57)【要約】【課題】  より幅の広いヒータを利用するのに好適であって、流路内における空気の乱れを極力排除することが可能な浴室乾燥機を提供すること。【解決手段】  この浴室乾燥機ＢＤは、本体１０と、平面視において一側Ｓ１の領域に偏倚して吹出口３１が設けられた送風機ＢＬと、吹出口３１と対向するように一側Ｓ１の領域に開口される換気口１８と、吹出口３１と換気口１８とを繋ぐように形成された送風通路３２と、平面視において他側Ｓ２の領域に設けられ、送風通路３２と繋がり送風通路３２を他側Ｓ２に拡幅するための拡幅通路３３と、送風通路３２から拡幅通路３３に渡って開口される循環吹出口１７と、循環吹出口１７を開閉自在に覆うよう構成された開閉ダンパー１４と、を備え、拡幅通路３３には、循環吹出口１７よりも上流位置に、送風機ＢＬからの空気を換気口１８側に案内する第一案内板１９を設けたことを特徴とする。【選択図】  図３
2009168341.tif 000002
【特許請求の範囲】
【請求項１】
浴室の空気を吸引し、ヒータを経由させて浴室内に空気を噴出させる循環モードと、浴室から吸引した空気を浴室外に排出させる換気モードとを備えた浴室乾燥機において、
浴室の天井に固定される本体と、
前記本体内に格納され、浴室の天井に沿った平面視において一側の領域に偏倚して吹出口が設けられた送風機と、
前記送風機の前記吹出口と対向するように、浴室の天井に沿った平面視において一側の領域に開口され、浴室から吸引した空気を浴室外に排出させるための換気口と、
浴室の天井に沿った平面視において一側の領域に設けられ、前記吹出口と前記換気口とを繋ぐように形成された送風通路と、
浴室の天井に沿った平面視において他側の領域に設けられ、前記送風通路と繋がり前記送風通路を他側に拡幅するための拡幅通路と、
浴室の天井に沿った平面視における一側の領域及び他側の領域に渡り、前記送風通路から前記拡幅通路に渡って開口され、浴室から吸引した空気を浴室内に噴出するための循環吹出口と、
前記循環吹出口内に配置されたヒータと、
前記換気口側に設けられた水平軸回りに開閉自在に支持され、前記循環吹出口を開閉自在に覆うよう構成された開閉ダンパーと、を備え、
前記拡幅通路には、前記循環吹出口よりも上流位置に、前記送風機からの空気を前記換気口側に案内する第一案内板を設けたことを特徴とする浴室乾燥機。
【請求項２】
前記送風機の前記吹出口に、前記第一案内板に空気を案内する第二案内板を設けたことを特徴とする請求項１に記載の浴室乾燥機。
【請求項３】
前記送風機の前記吹出口に、前記第一案内板に空気を案内する第二案内板を設け、
前記第一案内板と前記第二案内板とを離隔して配置したことを特徴とする請求項１に記載の浴室乾燥機。
【請求項４】
前記開閉ダンパーの浴室側に向かう面とは反対側の裏面に第三案内板を設け、
前記第三案内板は、前記第一案内板から案内される空気を前記換気口側に向けて案内するように形成されていることを特徴とする請求項１に記載の浴室乾燥機。
【請求項５】
前記開閉ダンパーの浴室側に向かう面とは反対側の裏面に第三案内板を設け、前記第三案内板は、前記第一案内板から案内される空気を前記換気口側に向けて案内するように形成されており、
前記開閉ダンパーの浴室側に向かう面には第四案内板を設け、
前記第四案内板は、前記第三案内板が延在する方向とは交差する向きとなる非換気口側に向けて延在するように形成されていることを特徴とする請求項１に記載の浴室乾燥機。
【請求項６】
前記開閉ダンパーの浴室側に向かう面とは反対側の裏面に第三案内板を設け、前記第三案内板は、前記第一案内板から案内される空気を前記換気口側に向けて案内するように形成されており、
前記拡幅通路の前記換気口に向かう側壁が、前記換気口側に向かって外側に広がるように形成されており、前記第三案内板は前記側壁に沿うように形成されていることを特徴とする請求項１に記載の浴室乾燥機。
【請求項７】
前記開閉ダンパーの浴室側に向かう面とは反対側の裏面に突出した突起状の膨出部を設け、
前記膨出部は、空気を前記換気口に案内するように、浴室の天井に沿った平面視において他側の領域であって前記換気口側に設けられていることを特徴とする請求項１に記載の浴室乾燥機。
【発明の詳細な説明】
【技術分野】
【０００１】
本発明は、浴室の空気を吸引し、ヒータを経由させて浴室方向に空気を噴出させる循環モードと、浴室から吸引した空気を浴室外に排出させる換気モードとを備えた浴室乾燥機に関する。
【背景技術】
【０００２】
このような浴室乾燥機の一例として、下記特許文献１に記載されているような浴室乾燥機が提案されている。下記特許文献１に記載されている浴室乾燥機は、同文献図４に記載されているように、本体内に送風機が配置されており、その送風機によって浴室内から吸引した空気を浴室外に排出するための換気口と、浴室内に循環させるための循環吹出口とを備えている。送風機の吹出口（下記特許文献１において、拡幅路の末端）は、本体を浴室の天井に沿った平面視で見た場合の一側に偏倚して設けられており、その一側であって吹出口と対向する位置に換気口が設けられている。循環吹出口は、換気口とオフセットさせる形で、本体を浴室の天井に沿った平面視で見た場合の他側に偏倚して設けられており、その循環吹出口が設けられている部分にヒータも設けられている。下記特許文献１では、送風機からの送風を循環吹出口に供給する時は換気口を閉じるように構成する一方で、換気口に送風を供給する時は循環吹出口を閉じるように構成するとともに、送風機から送風された空気が、循環吹出口がある拡幅路内で行き場を失って停滞してしまうことがないように、拡幅路内で空気を旋回させて換気口に向かうように構成している（下記特許文献１の図４参照）。
【特許文献１】特開２００７−２０５６４１号公報
【発明の開示】
【発明が解決しようとする課題】
【０００３】
上記従来の技術においては、換気を行う際に、送風機から送風された空気が拡幅路内を旋回して換気口へと導くように構成しているが、拡幅路に向かう空気と旋回してきた空気が交差して衝突してしまうため、この部分で空気が乱れ、結果換気の効率の低下や騒音が生じてしまうという課題があった。
【０００４】
本発明は、幅の広いヒータを用いた場合などに通風路の一部を拡幅させる必要があるような場合においても、換気時に発生する空気の乱れを極力排除して、換気効率の低下や騒音の発生を生じさせることがない浴室乾燥機を提供することを目的とする。
【課題を解決するための手段】
【０００５】
上記課題を解決するための本発明に係る浴室乾燥機は、浴室の空気を吸引し、ヒータを経由させて浴室内に空気を噴出させる循環モードと、浴室から吸引した空気を浴室外に排出させる換気モードとを備えた浴室乾燥機において、浴室の天井に固定される本体と、前記本体内に格納され、浴室の天井に沿った平面視において一側の領域に偏倚して吹出口が設けられた送風機と、前記送風機の前記吹出口と対向するように、浴室の天井に沿った平面視において一側の領域に開口され、浴室から吸引した空気を浴室外に排出させるための換気口と、浴室の天井に沿った平面視において一側の領域に設けられ、前記吹出口と前記換気口とを繋ぐように形成された送風通路と、浴室の天井に沿った平面視において他側の領域に設けられ、前記送風通路と繋がり前記送風通路を他側に拡幅するための拡幅通路と、浴室の天井に沿った平面視における一側の領域及び他側の領域に渡り、前記送風通路から前記拡幅通路に渡って開口され、浴室から吸引した空気を浴室内に噴出するための循環吹出口と、前記循環吹出口内に配置されたヒータと、前記換気口側に設けられた水平軸回りに開閉自在に支持され、前記循環吹出口を開閉自在に覆うよう構成された開閉ダンパーと、を備え、前記拡幅通路には、前記循環吹出口よりも上流位置に、前記送風機からの空気を前記換気口側に案内する第一案内板を設けたことを特徴とする。
【０００６】
本発明では、平面視において一側に偏倚した状態で形成されている送風機の吹出口と換気口との間を繋ぐ送風通路と、その送風通路を他側に拡幅するための拡幅通路とに渡って循環吹出口が設けられている。その循環吹出口にヒータが設けられているので、ヒータを平面視の一側から他側にかけて幅の広いものが使用できる。送風機の吹出口は平面視における一側に偏倚されており、換気口も一側の領域に形成されているので、一側から他側にかけて配置されるヒータに空気を送り込むように構成すると、開閉ダンパーを閉じて換気する場合に拡幅通路において空気の流れが澱んでしまう。そこで本発明では、拡幅通路の循環吹出口の上流位置に送風機から拡幅通路内に供給された空気を換気口側に向けて案内する第一案内板を設けることで、循環吹出口を閉じて換気する場合にも空気の流れを拡幅通路内で澱ませずに換気口へとスムーズに導くことができる。従って、換気時においても空気が交差して衝突するような状態を回避できるため換気効率の低下や騒音の発生を確実に低減できる。
【０００７】
また、本願請求項２に係る浴室乾燥機では、前記送風機の前記吹出口に、前記第一案内板に空気を案内する第二案内板を設けたことを特徴とする。本発明では、送風機の吹出口から一側に大きく偏倚して拡幅通路内に配置された第一案内板に空気を案内する第二案内板を設けることで、送風機からの空気を無理なくスムーズに第一案内板に案内できるので循環時の効率を一層高めることができるとともに、換気時においても拡幅通路に供給された空気はスムーズに換気口へと導かれるため拡幅通路内で空気を澱ませることがなく換気効率の低下や騒音の発生を高いレベルで低減できる。
【０００８】
また、本願請求項３に係る浴室乾燥機では、前記送風機の前記吹出口に、前記第一案内板に空気を案内する第二案内板を設け、前記第一案内板と前記第二案内板とを離隔して配置したことを特徴とする。第二案内板は第一案内板に空気をスムーズに案内するように方向付けを行い、第一案内板はその方向づけされた空気を換気口へと方向付けを行うものである。その第一案内板と第二案内板とを離隔して配置することで、大きく偏倚した拡幅通路に空気を供給する際に、第二案内板と第一案内板を連続させてしまうと拡幅通路に向かう編曲した通路を狭くしてしまうことに加え、制限された空気通路によって流速が大きく低下されるため圧力損失が増大し、結果、大きく偏倚した拡幅通路内から効率よく空気を換気口側に導くことが難しくなってしまうという問題を見出した。本発明では、第一案内板と第二案内板とを離隔して配置するという構成によってこの問題を一掃したものである。
【０００９】
また、本願請求項４に係る浴室乾燥機では、前記開閉ダンパーの浴室側に向かう面とは反対側の裏面に第三案内板を設け、前記第三案内板は、前記第一案内板から案内される空気を前記換気口側に向けて案内するように形成されていることを特徴とする。第一案内板は、循環吹出口よりも上流に形成され、送風機からの空気を換気口側に案内するものである。そこで、循環吹出口を覆う開閉ダンパーの浴室側に向かう面とは反対側の裏面に第三案内板を設けることで、開閉ダンパーを閉じた場合に第三案内板を第一案内板よりも下流に配置することができる。また、第三案内板は第一案内板から案内される空気を換気口側に案内するように形成されているので、開閉ダンパーを閉じて換気する場合にも空気の流れを澱ませずに確実に換気口へと導くことができる。また、第３案内板の存在によって第１案内板を換気口側に大きく指向させる必要がなくなるため、空気の流れを一層スムーズで、損失の小さなものとできるため、換気効率の低下や騒音の発生を高いレベルで低減することができる。
【００１０】
また、本願請求項５に係る浴室乾燥機では、前記開閉ダンパーの浴室側に向かう面とは反対側の裏面に第三案内板を設け、前記第三案内板は、前記第一案内板から案内される空気を前記換気口側に向けて案内するように形成されており、前記開閉ダンパーの浴室側に向かう面には第四案内板を設け、前記第四案内板は、前記第三案内板が延在する方向とは交差する向きとなる非換気口側に向けて延在するように形成されていることを特徴とする。第三案内板は第一案内板から案内される空気を換気口側に案内するように形成されているので、開閉ダンパーを閉じて換気する場合にも空気の流れを澱ませずに換気口へと導くことができる。一方、開閉ダンパーの第三案内板が形成されている面とは反対側の面に第四案内板を設け、第四案内板は第三案内板が延在する方向とは交差する向きとなるように非換気口側に向けて延在するように形成されている。従って、開閉ダンパーを閉じた場合に、第四案内板は第一案内板によって換気口側に向けられた空気を非換気口側となる反対方向に案内して循環吹出口に向かわせるように機能することになる。結果として、開閉ダンパーを開いた場合に第１案内板の影響を受けることなく循環吹出口に万遍無く空気を供給することができ、循環吹出口に配置されているヒータへも同様に万遍無く空気を供給することができるため、第１案内板を設けたことによる暖房効率の低下を確実に回避させることができるという実用上極めて有効な効果を奏するものである。
【００１１】
また、本願請求項６に係る浴室乾燥機では、前記開閉ダンパーの浴室側に向かう面とは反対側の裏面に第三案内板を設け、前記第三案内板は、前記第一案内板から案内される空気を前記換気口側に向けて案内するように形成されており、前記拡幅通路の前記換気口に向かう側壁が、前記換気口側に向かって外側に広がるように形成されており、前記第三案内板は前記側壁に沿うように形成されていることを特徴とする。拡幅通路から換気口に向かう側壁が、換気口側に向かって広がるように傾斜して形成されているので、上流側から流れてくる空気の方向と交差する方向に形成されている側壁を、その空気の流れの方向に沿う方向に傾斜するように形成していることになる。従って、上流側から流れてくる空気を換気口側に円滑に方向付けすることができる。更にその側壁に沿って第三案内板を形成しているので、開閉ダンパーを閉じて換気する場合にも空気の流れを澱ませずにスムーズに換気口へと導くことができる。
【００１２】
また、本願請求項７に係る浴室乾燥機では、前記開閉ダンパーの浴室側に向かう面とは反対側の裏面に突出した突起状の膨出部を設け、前記膨出部は、空気を前記換気口に案内するように、浴室の天井に沿った平面視において他側の領域であって前記換気口側に設けられていることを特徴とする。膨出部を開閉ダンパーの浴室側に向かう面とは反対側の裏面に設けているので、開閉ダンパーを閉じた場合に空気を換気口に案内するように配置することができる。また、膨出部は、他側の領域であって換気口側に設けられており、板状の部分ではなく突出した突起状の部分として形成されているので、膨出部の裏側に空気が回り込みにくく、開閉ダンパーを閉じて換気する場合にも空気の流れを澱ませずに換気口へと導くことができる。
【発明の効果】
【００１３】
本発明によれば、通路の一部が拡幅された拡幅通路構造を備えたものであっても、換気時における拡幅通路内での空気の澱みや、空気の乱れを防止して、換気効率の低下や騒音の発生を確実に排除することが可能な浴室乾燥機を提供することができる。
【発明を実施するための最良の形態】
【００１４】
以下、添付図面を参照しながら本発明の好適な実施の形態について説明する。説明の理解を容易にするため、各図面において同一の構成要素に対しては可能な限り同一の符号を付して、重複する説明は省略する。
【００１５】
本実施形態に係る浴室乾燥機について図１を参照しながら説明する。図１は、本実施形態に係る浴室乾燥機ＢＤの全体構成を示すために、浴室乾燥機ＢＤの横断面を示す図である。図１に示すように、浴室乾燥機ＢＤは、本体１０と、ファンカバー１１と、ファン１２と、モータ１３と、開閉ダンパー１４と、ヒータ１５とによって構成されている。更に、浴室乾燥機ＢＤの本体１０には、吸気口１６と、循環吹出口１７と、換気口１８とが形成されている。浴室乾燥機ＢＤは、吸気口１６から浴室の空気を吸引し、ヒータ１５を経由させて循環吹出口１７から浴室内に空気を噴出させる循環モードと、吸気口１６から吸引した浴室内の空気を換気口１８から浴室外に排出する換気モードとを備えている。
【００１６】
本体１０は、浴室乾燥機ＢＤの各部分を取り付けるための筐体となる部分であって、ファン１２、モータ１３、開閉ダンパー１４、及びヒータ１５が取り付けられており、ファンカバー１１は、着脱可能に取り付けられている。ファン１２及びモータ１３は、本体１０の天面１０１に取り付けられている。開閉ダンパー１４及びヒータ１５は、本体１０の天面１０１と対向する底面１０２に取り付けられている。また、上述した吸気口１６及び循環吹出口１７は、本体１０の底面１０２に形成されており、換気口１８は、本体１０の天面１０１と底面１０２とを繋ぐ側面１０３に形成されている。本体１０の側面１０３には、本体１０を浴室の天井に取り付けるためのフランジ部１０４が形成されており、本体１０はこのフランジ部１０４を天井に螺子止めすることで取り付けられている。
【００１７】
ファンカバー１１は、本体１０を覆うように設けられたカバーであって、本体１０に対して着脱可能に取り付けられている。ファン１２は、浴室乾燥機ＢＤの送風機を構成するものであって、モータ１３の回転軸にその中心軸が固定されているシロッコファンである。ファン１２が回転することで、吸気口１６から空気を吸い込んで、循環吹出口１７又は換気口１８から空気が噴出される。
【００１８】
モータ１３は、浴室乾燥機ＢＤの送風機を構成するものであって、ファン１２の中心軸にその回転軸が固定されている。従って、モータ１３の回転に応じて、ファン１２が回転する。
【００１９】
開閉ダンパー１４は、循環吹出口１７よりも換気口１８側に設けられた水平軸１４１回りに開閉自在に支持されており、循環吹出口１７を開閉自在に覆うように構成されている。開閉ダンパー１４を閉じると、吸気口１６から吸引された浴室内の空気は換気口１８に送り出され、開閉ダンパー１４を開くと、吸気口１６から吸引された浴室内の空気は循環吹出口１７に送り出される。
【００２０】
ヒータ１５は、循環吹出口１７内に配置されており、循環吹出口１７から浴室内に噴出される空気を暖めるように構成されている。
【００２１】
浴室乾燥機ＢＤには、更に、第一案内板１９と、第二案内板２０と、第三案内板２１と、第四案内板２２とが設けられている。第一案内板１９及び第二案内板２０は本体１０の天面１０１に設けられており、第三案内板２１及び第四案内板２２は開閉ダンパー１４に設けられている。第三案内板２１は、開閉ダンパー１４の浴室側に向かう面とは反対側の裏面に設けられている。第四案内板２２は、開閉ダンパー１４の浴室側に向かう面に設けられている。
【００２２】
ファンカバー１１は、図２に示すように本体１０から着脱可能なように構成されている。ファンカバー１１を本体１０から取り外した場合に下方（図中Ａ方向）から見た様子を図３に示し、Ｂ−Ｂ断面を図４に示す。図３及び図４を参照しながら、第一案内板１９、第二案内板２０、第三案内板２１、及び第四案内板２２の配置態様について説明する。
【００２３】
図３及び図４に示すように、浴室乾燥機ＢＤにおける送風機ＢＬは、ファン１２と、ファン１２を回転させるためのモータ１３と、ファン１２の周りに形成されている外周風路３０と、外周風路３０から循環吹出口１７及び換気口１８に向かう部分に形成されている吹出口３１と、を備えており、浴室乾燥機ＢＤの本体１０内に格納されている。浴室乾燥機ＢＤを、浴室乾燥機ＢＤが取り付けられる浴室の天井に沿った平面視において一側Ｓ１と、浴室の天井に沿った平面視において一側Ｓ１とは反対側の多側Ｓ２とに便宜的に分割してみると、送風機ＢＬの吹出口３１と、換気口１８とは一側Ｓ１に偏倚して設けられている。更に浴室乾燥機ＢＤの一側Ｓ１には、吹出口３１と換気口１８とを繋ぐ送風通路３２が形成されている。
【００２４】
浴室乾燥機ＢＤの一側Ｓ１に形成されている送風通路３２を他側Ｓ２側に拡幅するために、他側Ｓ２に送風通路３２と繋がる拡幅通路３３が形成されている。拡幅通路３３は、送風機ＢＬの吹出口３１よりも換気口１８側において送風通路３２に繋がっているため、送風通路３２から他側Ｓ２に突出している。従って、ファン１２の回転によって噴出される空気の流れから見ると、拡幅通路３３には空気が円滑に流れ込みにくい構造となっている。また、吹出口３１の形成態様を工夫して拡幅通路３３に空気が流れ込むようにしても、今度は一旦拡幅通路３３に流れ込んだ空気が換気口１８に流れ込みにくくなる。
【００２５】
一方、循環吹出口１７は、一側Ｓ１から他側Ｓ２にかけて形成されており、一側Ｓ１に形成されている送風通路３２の他側Ｓ２からみて最も遠い壁面近傍から、他側Ｓ２に形成されている拡幅通路３３の一側Ｓ１からみて最も遠い壁面近傍にかけて形成されている。更に、ヒータ１５は循環吹出口１７の略全幅に渡って配置されている。上述したように、送風通路３２と拡幅通路３３との構成は、そのままの状態では拡幅通路３３側に空気が流れ込みにくくなっているので、循環吹出口１７及びヒータ１５の全幅に渡って空気が行き渡らない恐れがある。また、吹出口３１の形成態様を工夫して拡幅通路３３に空気が流れ込むようにしても、今度は一旦拡幅通路３３に流れ込んだ空気が換気口１８に流れ込みにくくなるのは上述した通りである。
【００２６】
そこで本実施形態では、送風機ＢＬの吹出口３１から噴出された空気を送風通路３２及び拡幅通路３３において円滑に流れさせるために、第一案内板１９、第二案内板２０、第三案内板２１、及び第四案内板２２を設けている。
【００２７】
第一案内板１９は、拡幅通路３３の天面１０１から底面１０２に向けて立設するように設けられている。第一案内板１９は、送風機ＢＬの吹出口３１から噴出される空気を換気口１８側に案内するように形成されている。本実施形態の場合、第一案内板１９は、３枚の案内板である、第一案内板１９ａ、第一案内板１９ｂ、及び第一案内板１９ｃとして構成されている。第一案内板１９ａ、第一案内板１９ｂ、及び第一案内板１９ｃは、他側Ｓ２に配置され、送風通路３２側から離れる方向に順に配置されている。第一案内板１９ａ、第一案内板１９ｂ、及び第一案内板１９ｃは、それぞれ湾曲して形成されており、拡幅通路３３の角部の形状に沿うように形成されている。第一案内板１９ａ、第一案内板１９ｂ、及び第一案内板１９ｃは、空気の流れの方向に沿った方向において、順に長くなるように形成されている。また、図５（浴室乾燥機ＢＤを浴室側からみた斜視図）に示すように、第一案内板１９ａ、第一案内板１９ｂ、及び第一案内板１９ｃは、順にその高さが高くなるように形成されている。これは、拡幅通路３３の角部に近づくに従って、空気の流れが澱みやすくなるため、より空気を案内する方向性を強めるためである。
【００２８】
第二案内板２０は、送風通路３２の天面１０１から底面１０２に向けて立設するように設けられている。第二案内板２０は、送風機ＢＬの吹出口３１から噴出される空気を第一案内板１９側に案内するように形成されており、第一案内板１９とは離隔して設けられている。第二案内板２０は、送風機ＢＬの吹出口３１から噴出される空気を第一案内板１９に向けて方向付けする役割を果たしている。本実施形態の場合、第二案内板２０は、４枚の案内板である、第二案内板２０ａ、第二案内板２０ｂ、第二案内板２０ｃ、及び第二案内板２０ｄとして構成されている。第二案内板２０ａ、第二案内板２０ｂ、第二案内板２０ｃ及び第二案内板２０ｄは、一側Ｓ１に配置され、拡幅通路３３側から離れる方向に順に配置されている。第二案内板２０ａ、及び第二案内板２０ｂは、それぞれ湾曲して形成されており、吹出口３１から拡幅通路３３に繋がる角部を回り込むように形成されており、主に送風機ＢＬの吹出口３１から噴出される空気を第一案内板１９に向けて方向付けする役割を果たしている。第二案内板２０ｃ及び第二案内板２０ｄは、吹出口３１から換気口１８に向けて直線的に形成されている。第二案内板２０ａ、第二案内板２０ｂ、第二案内板２０ｃ、及び第二案内板２０ｄは、空気の流れの方向に沿った方向において、順に長くなるように形成されている。また、図５（浴室乾燥機ＢＤを浴室側からみた斜視図）に示すように、第二案内板２０ａ、第二案内板２０ｂ、第二案内板２０ｃ、及び第二案内板２０ｄは、順にその高さが高くなるように形成されている。
【００２９】
第三案内板２１は、開閉ダンパー１４に設けられており、開閉ダンパー１４が閉じられた場合に送風通路３２内に立設するように、開閉ダンパー１４の浴室側に向かう面とは反対側の裏面に設けられている。第三案内板２１は、送風機ＢＬの吹出口３１から噴出され第一案内板１９から案内された空気を換気口１８側に案内するように形成されている。第三案内板２１は、第一案内板１９から案内される空気を換気口１８に向けて方向付けする役割を果たしている。本実施形態の場合、第三案内板２１は、３枚の案内板である、第三案内板２１ａ、第三案内板２１ｂ、及び第三案内板２１ｃとして構成されている。第三案内板２１ａ、第三案内板２１ｂ、及び第三案内板２１ｃは、他側Ｓ２に配置され、送風通路３２側から離れる方向に順に配置されている。第三案内板２１ａ、第三案内板２１ｂ、及び第三案内板２１ｃは、それぞれ湾曲して形成されており、拡幅通路３３の角部の形状に沿うように形成されている。第三案内板２１ａ、第三案内板２１ｂ、及び第三案内板２１ｃは、空気の流れの方向に沿った方向において、順に長くなるように形成されている。
【００３０】
第四案内板２２は、開閉ダンパー１４に設けられており、開閉ダンパー１４が開かれた場合に送風通路３２内に立設するように、開閉ダンパー１４の浴室側に向かう面に設けられている。第四案内板２２は、第三案内板２１が延在する方向と交差する方向に沿って形成されている。第四案内板２２は、開閉ダンパー１４が開かれた場合に、送風機ＢＬの吹出口３１から噴出され第一案内板１９から案内された空気をヒータ１５及び循環吹出口１７側に案内するように形成されている。第四案内板２２は、第一案内板１９から案内される空気をヒータ１５及び循環吹出口１７に向けて方向付けする役割を果たしている。本実施形態の場合、第四案内板２２は、３枚の案内板である、第四案内板２２ａ、第四案内板２２ｂ、及び第四案内板２２ｃとして構成されている。第四案内板２２ａ、第四案内板２２ｂ、及び第四案内板２２ｃは、他側Ｓ２に配置され、送風通路３２側から離れる方向に順に配置されている。第四案内板２２ａ、第四案内板２２ｂ、及び第四案内板２２ｃは、それぞれ湾曲して形成されており、拡幅通路３３の角部に向かうように形成されている。第四案内板２２ａ、第四案内板２２ｂ、及び第四案内板２２ｃは、空気の流れの方向に沿った方向において、順に短くなるように形成されている。
【００３１】
上述した第一案内板１９、第二案内板２０、第三案内板２１、及び第四案内板２２を設ける工夫に加えて、拡幅通路３３を形成する側壁３３１，３３２にも空気の流れをよくするための工夫を行っている。側壁３３１は、吹出口３１から延びている側壁であって、送風通路３２と交わる方向に延びている側壁である。側壁３３１は、吹出口３１から内側に狭まるように傾斜して形成されている。このように側壁３３１を形成することで、吹出口３１から噴出される空気が円滑に拡幅通路３３の奥側に送り出される。側壁３３２は、換気口１８に向かって延びている側壁であって、送風通路３２と交わる方向に延びている側壁である。側壁３３２は、換気口１８に向かうに従って外側に広がるように形成されている。このように側壁３３１を形成することで、第一案内板１９から案内される空気が円滑に拡幅通路３３の奥側から換気口１８に向かって送り出される。この側壁３３１の効果を増大させるために、第三案内板２１は側壁３３１に沿うように配置されている。
【００３２】
上述したような第一案内板１９、第二案内板２０、第三案内板２１、及び第四案内板２２を設けた場合の浴室乾燥機ＢＤ内の空気の流れについて図６，７，８，９を参照しながら説明する。図６は、開閉ダンパー１４を閉じた場合の、浴室乾燥機ＢＤの横断面を示す図である。図７は、開閉ダンパー１４を閉じた場合であって、ファンカバー１１を本体１０から取り外した状態で下方から見た図である。図８は、開閉ダンパー１４を開いた場合の、浴室乾燥機ＢＤの横断面を示す図である。図９は、開閉ダンパー１４を開いた場合であって、ファンカバー１１を本体１０から取り外した状態で下方から見た図である。
【００３３】
図６及び図７に示すように、開閉ダンパー１４を閉じると、送風機ＢＬの吹出口３１から噴出される空気は、第二案内板２０によって一部が換気口１８に直接案内され、一部は第一案内板１９に案内される。第一案内板１９に案内された空気は第三案内板２１及び側壁３３２によって換気口１８へと案内される。従って、開閉ダンパー１４を閉じると、送風機ＢＬの吹出口３１から噴出される空気は、送風通路３２及び拡幅通路３３を万遍無く通って換気口１８へと送り出される。
【００３４】
図８及び図９に示すように、開閉ダンパー１４を開くと、送風機ＢＬの吹出口３１から噴出される空気は、第二案内板２０によって一部が一側Ｓ１側の開閉ダンパー１４に直接案内され、一部は第一案内板１９に案内される。一側Ｓ１側の開閉ダンパー１４に案内された空気は下方へと向かい、一側Ｓ１側の循環吹出口１７及びヒータ１５へと案内される。第一案内板１９に案内された空気は他側Ｓ２側の開閉ダンパー１４に案内される。他側Ｓ２側の開閉ダンパー１４に案内された空気は下方へと向かい、他側Ｓ２側の循環吹出口１７及びヒータ１５へと案内される。従って、開閉ダンパー１４を開くと、送風機ＢＬの吹出口３１から噴出される空気は、一側Ｓ１側から他側Ｓ２側の全幅に渡って、循環吹出口１７及びヒータ１５に万遍無く送り出される。
【００３５】
上述した本実施形態では、第三案内板２１を、開閉ダンパー１４の浴室側に向かう面とは反対側の裏面の他側Ｓ２側にのみ設けたが、第三案内板２１を一側Ｓ１側にも追加して設けることも好ましい。第三案内板２１を一側Ｓ１側に設けた例を図１０に示す。図１０に示すように、第三案内板２１を一側Ｓ１側にも設け、第三案内板２１ｄ，２１ｅ，２１ｆとすると、送風機ＢＬの吹出口３１から噴出され、第二案内板２０によって換気口１８に直接案内される空気の流れを整流することができる。
【００３６】
上述した本実施形態では、第四案内板２２を、開閉ダンパー１４の浴室側に向かう面の他側Ｓ２側にのみ設けたが、第四案内板２２を一側Ｓ１側にも追加して設けることも好ましい。第四案内板２２を一側Ｓ１側に設けた例を図１１に示す。図１１に示すように、第四案内板２２を一側Ｓ１側にも設け、第四案内板２２ｄ，２２ｅ，２２ｆとすると、送風機ＢＬの吹出口３１から噴出され、第二案内板２０によって循環吹出口１７及びヒータ１５に案内される空気の流れを一層均一になるように整流することができる。
【００３７】
上述した本実施形態では、開閉ダンパー１４を閉じた場合に拡幅通路３３の奥側に送り出された空気を換気口１８側に方向づけるために板状の第三案内板２１を設けたけれども、同様の目的のために、開閉ダンパー１４の角部であって第三案内板２１設けられている部分よりも吹出口３１から見て奥側の角部に膨出部５０を設けることも好ましい（図１２参照）。図１２に示すように、膨出部５０は、開閉ダンパー１４の浴室側に向かう面とは反対側の裏面の他側Ｓ２側の領域であって換気口１９側の角部に設けられている。膨出部５０は開閉ダンパー１４の角部を盛り上げるように塊状の部分として形成されていて、膨出部５０の更に奥側に空気が回り込むことを抑制できるように形成されている。
【図面の簡単な説明】
【００３８】
【図１】本実施形態に係る浴室乾燥機の全体構成図である。
【図２】浴室乾燥機からファンカバーを取り外した状態を示す図である。
【図３】浴室乾燥機を、浴室の天井に沿った平面視で見た平面図である。
【図４】浴室乾燥機を、浴室の天井に沿った平面視で見た平面図である。
【図５】本実施形態に係る浴室乾燥機の斜視図である。
【図６】浴室乾燥機において開閉ダンパーを閉じた状態を示す図である。
【図７】図６の場合において、空気の流れを示す図である。
【図８】浴室乾燥機において開閉ダンパーを開いた状態を示す図である。
【図９】図７の場合において、空気の流れを示す図である。
【図１０】第三案内板の変形例を示す図である。
【図１１】第四案内板の変形例を示す図である。
【図１２】開閉ダンパーの角に膨出部を設けた例を示す図である。
【符号の説明】
【００３９】
ＢＤ…浴室乾燥機、ＢＬ…送風機、１０…本体、１１…ファンカバー、１２…ファン、１３…モータ、１４…開閉ダンパー、１５…ヒータ、１６…吸気口、１７…循環吹出口、１８…換気口、１９，１９ａ，１９ｂ，１９ｃ…第一案内板、２０，２０ａ，２０ｂ，２０ｃ，２０ｄ…第二案内板、２１，２１ａ，２１ｂ，２１ｃ…第三案内板、２２，２２ａ，２２ｂ，２２ｃ…第四案内板。
【図１】
2009168341.tif 000003
【図２】
2009168341.tif 000004
【図３】
2009168341.tif 000005
【図４】
2009168341.tif 000006
【図５】
2009168341.tif 000007
【図６】
2009168341.tif 000008
【図７】
2009168341.tif 000009
【図８】
2009168341.tif 000010
【図９】
2009168341.tif 000011
【図１０】
2009168341.tif 000012
【図１１】
2009168341.tif 000013
【図１２】
2009168341.tif 000014